(57)【要約】【課題】任意の場所に移動して設置することができると共に、給水タンク及び排水タンクの入れ替えを容易にし、かつ、水洗作業を容易に行えるようにすること。【解決手段】キャスタ１を有する水洗装置本体１０に、シンク２１及び給水用水栓具２２を設置する天板１１と、シンク２１の外方を包囲すべく天板の周辺に垂下される側板１２とからなる水洗設置部１３を設け、給水タンク２及び排水タンク３の出入れ用開口部１４を四方に有するタンク載置部１５を設ける。給水用水栓具２２は、天板１１を貫通してシンク２１の上面側に吐出口を有する給水管３１と、天板１１の下方に突出する給水管３１に接続されると共に、シンク２１と側板１２との間の空間２８内に配設される導水管３２と、導水管３２に介設されて側板１２の下方から操作可能な流量調節用弁３３とを具備する。【選択図】  図２
2004229895.tif 000002
【特許請求の範囲】
【請求項１】
キャスタを有する水洗装置本体と、シンクと給水用水栓具とからなる水洗部と、上記水洗装置本体に対して出し入れ可能な給水タンク及び排水タンクと、上記給水タンク内に貯留された水を上記水洗部に供給する供給ポンプと、この給水ポンプと電源との間に介設されて給水開始・停止を行うスイッチとを具備する移動式水洗装置において、
上記水洗装置本体は、上記シンク及び給水用水栓具を設置する天板と、シンクの外方を包囲すべく天板の周辺に垂下される側板とからなる水洗設置部を具備すると共に、上記給水タンク及び排水タンクの出入れ用開口部を四方に有するタンク載置部を具備し、
上記給水用水栓具は、上記天板を貫通して上記シンクの上面側に吐出口を有する給水管と、上記天板の下方に突出する上記給水管に接続されると共に、上記シンクと側板との間の空間内に配設される導水管と、この導水管に介設されて上記側板の下方から操作可能な流量調節用弁とを具備してなる、ことを特徴とする移動式水洗装置。
【請求項２】
請求項１記載の移動式水洗装置において、
上記タンク載置部の出入れ用開口部に扉体を着脱可能に被着してなる、ことを特徴とする移動式水洗装置。
【請求項３】
請求項１又は２記載の移動式水洗装置において、
上記給水用水栓具の給水管の吐出口側に逆止弁を介設してなる、ことを特徴とする移動式水洗装置。
【請求項４】
請求項１ないし３のいずれかに記載の移動式水洗装置において、
上記タンク載置部に、給水タンク及び排水タンクの水平方向の移動を阻止する起立壁を設けると共に、タンク載置部に防水処理を施してなる、ことを特徴とする移動式水洗装置。
【発明の詳細な説明】
【０００１】
【発明の属する技術分野】
この発明は、移動式水洗装置に関するもので、更に詳細には、例えば店頭又は店内や室内あるいは移動店舗等の任意の場所に移動して手洗いや例えば食器等の水洗を可能にした移動式水洗装置に関するものである。
【０００２】
【従来の技術】
従来のこの種の移動式水洗装置として、キャスタを有するハウジングと、吐水用水栓具を有する手洗器と、ハウジングの手洗器の下部に開設された空間部と、この空間部に出納される給水タンク及び排水タンクを載置するキャスタ付きタンク用カートと、給水タンク内に貯留された水を水洗部に供給する供給ポンプと、この給水ポンプと電源との間に介設されて給水開始・停止を行うスイッチとを具備し、更に予備のタンク用カートを具備して、終了したタンクとの交換を可能にする移動型手洗装置が知られている（例えば、特許文献１参照）。
【０００３】
【特許文献１】
特開２００１−１６９９４０（［特許請求の範囲］、段落番号［０００７］，［０００８］、［図１］）
このように構成される移動型手洗装置によれば、内部に収納したタンク用カートごと移動することができ、また、タンク用カートを分離して単独で移動することできるため、本移動用手洗装置自体をいずれの作業場所にも移動でき、また、その場所に停止させておいて、分離したタンク用カートのみを移動させ、用意された新たなタンク用カートと入れ替えることができる。
【０００４】
【発明が解決しようとする課題】
しかしながら、従来のこの種の移動式水洗装置においては、給水タンク及び排水タンクの入れ替えを行う場合、キャスタ付きタンク用カートを、ハウジングに設けられた空間部に出し入れする構造であり、しかも、タンク用カートの出し入れは、ハウジングの一箇所に設けられた開口部（例えばハウジングの前面に設けられた開口部）に対して行うものである。したがって、従来の移動式水洗装置においては、給水タンク及び排水タンクを出し入れするためのスペースを確保した状態で水洗装置を設置する必要があり、設置場所が制約されるという問題があった。また、タンク用カート及びこのタンク用カートをハウジングに掛止するカート掛止手段が必要となるため、構造が複雑であると共に、給水タンク及び排水タンクの入れ替え作業が面倒であるという問題もあった。
【０００５】
また、従来の移動式水洗装置においては、手洗器の上方に露出する給水管に吐水用水栓を介設する構造であるため、水洗を行う者が吐水用水栓の操作とスイッチ例えばフットスイッチの操作して水洗を行わなければならず、水洗作業が煩わしいという問題もあった。
【０００６】
この発明は、上記事情に鑑みなされたもので、給水タンク及び排水タンクの出し入れのためのスペースを考慮することなく任意の場所に移動して設置することができると共に、給水タンク及び排水タンクの入れ替えを容易にすることができ、かつ、水洗作業を容易に行えるようにした移動式水洗装置を提供することを目的とするものである。
【０００７】
【課題を解決するための手段】
上記目的を達成するために、この発明の移動式水洗装置は、キャスタを有する水洗装置本体と、シンクと給水用水栓具とからなる水洗部と、上記水洗装置本体に対して出し入れ可能な給水タンク及び排水タンクと、上記給水タンク内に貯留された水を上記水洗部に供給する供給ポンプと、この給水ポンプと電源との間に介設されて給水開始・停止を行うスイッチとを具備する移動式水洗装置において、  上記水洗装置本体は、上記シンク及び給水用水栓具を設置する天板と、シンクの外方を包囲すべく天板の周辺に垂下される側板とからなる水洗設置部を具備すると共に、上記給水タンク及び排水タンクの出入れ用開口部を四方に有するタンク載置部を具備し、  上記給水用水栓具は、上記天板を貫通して上記シンクの上面側に吐出口を有する給水管と、上記天板の下方に突出する上記給水管に接続されると共に、上記シンクと側板との間の空間内に配設される導水管と、この導水管に介設されて上記側板の下方から操作可能な流量調節用弁とを具備してなる、ことを特徴とする（請求項１）。
【０００８】
この発明の移動式水洗装置において、上記タンク載置部の出入れ用開口部は開放状態であっても差し支えないが、好ましくは出入れ用開口部に扉体を着脱可能に被着する方がよい（請求項２）。
【０００９】
また、上記給水用水栓具の給水管の吐出口側に逆止弁を介設する方が好ましい（請求項３）。
【００１０】
また、上記タンク載置部に、給水タンク及び排水タンクの水平方向の移動を阻止する起立壁を設けると共に、タンク載置部に防水処理を施す方が好ましい（請求項４）。
【００１１】
請求項１記載の発明によれば、水洗装置本体に、シンク及び給水用水栓具を設置する天板と、シンクの外方を包囲すべく天板の周辺に垂下される側板とからなる水洗設置部を設けると共に、給水タンク及び排水タンクの出入れ用開口部を四方に有するタンク載置部を設け、給水用水栓具を、天板を貫通してシンクの上面側に吐出口を有する給水管と、天板の下方に突出する給水管に接続されると共に、シンクと側板との間の空間内に配設される導水管と、この導水管に介設されて側板の下方から操作可能な流量調節用弁とで構成することにより、給水用水栓具によって支障を受けることなく、出入れ用開口部の開口領域を確保することができるので、四方に設けられた出入れ用開口部のいずれからでも給水タンク及び排水タンクの出し入れを可能にすることができる。また、シンクと側板との間の空間内に配設される導水管に介設された流量調節用弁を操作した後、スイッチ操作のみで水洗作業を行うことができる。したがって、給水タンク及び排水タンクの出し入れのためのスペースを考慮することなく任意の場所に設置することができると共に、給水タンク及び排水タンクの入れ替えを容易にすることができ、かつ、水洗作業を容易に行うことができる。
【００１２】
請求項２記載の発明によれば、タンク載置部の出入れ用開口部に扉体を着脱可能に被着することにより、タンク載置部に載置される給水タンク及び排水タンクを外部から目隠しすることができ、給水タンク及び排水タンクの入れ替えの際には、任意の出入れ用開口部に被着された扉体を取り外して給水タンク及び排水タンクの入れ替えを行うことができる。
【００１３】
請求項３記載の発明によれば、給水用水栓具の給水管の吐出口側に逆止弁を介設することにより、スイッチを操作して供給ポンプの駆動を停止したときに、給水用水栓具の給水管中に供給された水の吐出の停止を迅速に行うことができるので、水の使用量を少なくすることができる。
【００１４】
請求項４記載の発明によれば、タンク載置部に、給水タンク及び排水タンクの水平方向の移動を阻止する起立壁を設けると共に、タンク載置部に防水処理を施すことにより、洗浄処理装置の走行移動中に給水タンク及び排水タンクが不用意に移動するのを防止することができる。また、給水タンクや排水タンク内の水が外部に飛散あるいは漏れても、防水処理が施されたタンク載置部にて受け止めることができるので、装置外部に水が流出するのを防止することができる。
【００１５】
【発明の実施の形態】
以下に、この発明の移動式水洗装置について、添付図面に基づいて詳細に説明する。
【００１６】
図１は、この発明の移動式水洗装置の一例を示す斜視図、図２は、移動式水洗装置の一部を断面で示す分解斜視図（ａ）及び（ａ）のＩ部拡大図（ｂ）、図３は、移動式水洗装置の一部を断面で示す平面図、図４は、移動式水洗装置の一部を断面で示す側面図である。
【００１７】
上記移動式水洗装置は、図１〜図４に示すように、ストッパ付きのキャスタ１を有する水洗装置本体１０と、シンク２１と給水用水栓具２２とからなる水洗部２０と、水洗装置本体１０に対して出し入れ可能な給水タンク２及び排水タンク３と、給水タンク２内に貯留された水を水洗部２０に供給する供給ポンプ４と、この供給ポンプ４の給水開始・停止駆動を行うスイッチ例えばフットスイッチ５とを具備している。
【００１８】
上記水洗装置本体１０は、略矩形状のシンク２１及び給水用水栓具２２を設置する略矩形状の例えば木製の天板１１と、シンク２１の外方を包囲すべく天板１１の周辺に垂下される例えば木製の側板１２とからなる水洗設置部１３を具備すると共に、給水タンク２及び排水タンク３の出入れ用開口部１４を四方に有するタンク載置部１５を具備している。なお、出入れ用開口部１４には扉体４０が着脱可能（取外し可能）に被着されている。また、水洗設置部１３の外側には、タオル掛けを兼用する把手６が設けられている。
【００１９】
上記タンク載置部１５は、下面の角部にキャスタ１を装着した略矩形状の例えば木製の床板１７にて形成されており、この床板１７の上面に、矩形枠状に設けられる起立壁１８によってタンク載置部１５に載置される給水タンク２及び排水タンク３の水平移動が阻止されるようになっている（図７参照）。また、タンク載置部１５を構成する床板１７と起立壁１８の内側面及び上面に防水シート１９を被覆した防水処理が施されている。このように、タンク載置部１５に給水タンク２及び排水タンク３の水平方向の移動を阻止する起立壁１８を設けることにより、洗浄処理装置の走行移動中に給水タンク２及び排水タンク３が不用意に移動するのを防止することができる。また、タンク載置部１５に防水処理を施すことにより、給水タンク２や排水タンク３内の水が外部に飛散あるいは漏れても、防水処理が施されたタンク載置部１５にて受け止めることができるので、装置外部に水が流出するのを防止することができる。
【００２０】
また、床板１７の上面角部には４本の例えば木製の角柱状支柱１６が立設されており、これら支柱１６の上端部に水洗設置部１３が設けられている。すなわち、支柱１６の上端に天板１１が架設されると共に、支柱１６の上端部に側板１２が横設されて、水洗設置部１３が形成されている。このように、床板１７の上面角部に立設される４本の支柱１６の上端部に、天板１１と４枚の側板１２とからなる水洗設置部１３を設けることによって、四方に出入れ用開口部１４が形成される。
【００２１】
上記シンク２１は、正面手前側に排水口２３を有する略矩形状の皿部２４と、皿部２４の各辺の上縁からそれぞれ外方に延在する外向きのフランジ部２４ａ，２４ｂ，２４ｃ，２４ｄと、フランジ部２４ａ，２４ｂ，２４ｃ，２４ｄの下面の皿部側に垂下する取付壁片２５とを有する例えばステンレス製の材料にて形成されている。この場合、フランジ部２４ａ，２４ｂ，２４ｃ，２４ｄのうち、正面手前側のフランジ部２４ａは奥行き側のフランジ部２４ｂに対して幅広に形成されており、左右のフランジ部２４ｃ，２４ｄはフランジ部２４ａより狭いが、フランジ部２４ｂより若干広い幅の同一幅に形成されている。
【００２２】
上記のように形成されるシンク２１を天板１１に取り付けるには、図６に示すように、天板１１に設けられた取付用開口１１ａ内にシンク２１の皿部２４を挿入して、フランジ部２４を天板１１上に載置した状態で、取付壁片２５に設けられた切欠部２５ａを貫通する固定金具２６の一端部に設けられたねじ孔２６ａにプラス（＋）溝付き固定ボルト２７を螺合して、図示しないドライバ等の工具を用いて固定ボルト２７の先端をフランジ部２４ａ（２４ｂ，２４ｃ，２４ｄ）の下面に押圧することで、固定金具２６の他端部に設けられた係止爪２６ｂが天板１１の下面に食い込むことによって取り付けることができる。なお、シンク２１の各辺部にそれぞれ３個の固定金具２６を、上記と同様に固定ボルト２７を螺合することで、シンク２１を天板１１に強固に固定することができる。
【００２３】
上記給水用水栓具２２は、天板１１の奥行き側に設けられた貫通孔（図示せず）を貫通してシンク２１の上面側に吐出口例えばシャワーノズル３０を有する略逆Ｕ字状に屈曲する給水管３１と、天板１１の下方に突出する給水管３１に接続されると共に、シンク２１と側板１２との間の空間２８内に配設されるフレキシブル管にて形成される導水管３２と、この導水管３２に介設されて側板１２の下方から操作可能な流量調節用弁３３とで主に構成されている。このように、給水用水栓具２２を構成する導水管３２を、シンク２１と側板１２との間の空間２８内に配設し、この導水管３２に介設される流量調節用弁３３を、側板の下方から操作可能にすることにより、給水用水栓具２２によって支障を受けることがなく、つまり給水用水栓具２２が邪魔になることなく、出入れ用開口部１４の開口領域を確保することができ、四方に設けられた出入れ用開口部１４のいずれからでも給水タンク２及び排水タンク３の出し入れを可能にすることができる。
【００２４】
また、給水用水栓具２２における給水管３１とシャワーノズル３０との間には逆止弁３４が介設されている。このように、給水管３１の吐出口側に逆止弁３４を介設することにより、フットスイッチ５を操作して供給ポンプ４の駆動を停止したときに、給水用水栓具２２の給水管３１中に供給された水の吐出の停止を迅速に行うことができるので、供給ポンプ４の停止後の水の無駄がなくなり、水の使用量を少なくすることができる。
【００２５】
なお、給水用水栓具２２の給水管３１は、天板１１の奥行き側に貫通されているため、シャワーノズル３０からシャワー状に吐出する水は、シンク２１の手前側に設けられた排水口２３に直接かかることがない。したがって、シンク２１の外部に飛散することがない。
【００２６】
上記のように構成される給水用水栓具２２の導水管３２には、エルボ継手３５を介して給水ホース３６が接続されており、給水ホース３６の先端には供給ポンプ４が装着されている。なお、供給ポンプ４の給入部側にはストレーナ７を装着する方が好ましい。給水タンク２内に貯留された水Ｗ中に残存するゴミ等が供給ポンプ４内に流入するのを防止することができるからである。
【００２７】
上記シンク２１の排水口２３には、排水中のゴミを受け止めるゴミキャッチャ（図示せず）を有するゴミ受け２９が着脱可能に取り付けられている。この排水口２３に一端が接続する排水ホース３７の他端部は、排水タンク３内に挿脱可能に挿入されるようになっている。
【００２８】
一方、上記扉体４０は、表裏面に任意の色彩や模様等が施されれた矩形状の例えば木製の板部材にて形成されている。この扉体４０の一側辺側の両端２箇所には取付孔４１が設けられており、これら取付孔４１には例えば鳩目にて形成される取付孔金具４２が装着されている。このように形成される扉体４０は、上記出入れ用開口部１４の上端縁すなわち側板１２の下端に垂下されるフック金具４３に取付孔４１（具体的には、取付孔金具４２）を係合することによって出入れ用開口部１４に着脱可能（取外し可能）に被着されるようになっている（図８参照）。これにより、タンク載置部１５に載置される給水タンク２及び排水タンク３を外部から目隠しすることができる。また、扉体４０によって床板１７の側面全部、支柱１６の外側面の大部分及びキャスタ１の約半分を外部から目隠しすることができる（図１参照）。この場合、図８に示すように、水洗設置部１３の側板１２の内側に目隠し板４４を垂設しておけば、扉体４０と側板１２との隙間を目隠しすることができる。なお、扉体４０の表面と裏面に異なる色彩あるいは模様を施しておけば、好みに応じて扉体４０の外方面の色彩や模様を変えることができる。
【００２９】
次に、この発明における電気系統の配線構造について、図５を参照して説明する。上記供給ポンプ４は供給ポンプ電源コード５０を介してＡＣ／ＤＣ変換器５１に接続され、このＡＣ／ＤＣ変換器５１には、給水開始・停止のＯＮ，ＯＦＦ動作をするフットスイッチ５とメインスイッチ５２を介して電源プラグ５３を有する電源コード５４が接続されている。この場合、供給ポンプ電源コード５０は、給水ホース３６に沿って水洗設置部１３のシンク２１と側板１２との間の空間２８内に配設されたＡＣ／ＤＣ変換器５１に接続されている。また、電源コード５４は、水洗設置部１３のシンク２１と側板１２との間の空間２８内に配線されると共に、図２，図４及び図７に示すように支柱１６に沿って配線されて留め具５５にて固定されている。また、フットスイッチ５及び電源プラグ５３側に接続する電源コード５４の一部は、床板１７の角部側に設けられた略コ字状の切欠き１７ａ（図２、図４、図７参照）を介して外部に引き出されている。なお、供給ポンプ電源コード５０、電源コード５４と、ＡＣ／ＤＣ変換器５１、フットスイッチ５等は図示しないコネクタを介して着脱可能に接続されている。
【００３０】
上記のように電気系統を構成することにより、電源プラグ５３を図示しないコンセントに差し込み、メインスイッチ５２をＯＮにした状態で、フットスイッチ５をＯＮ，ＯＦＦ操作することによって、供給ポンプ４を駆動して給水タンク２内に貯留された水Ｗを給水用水栓具２２の給水管３１を介してシャワーノズル３０から吐出することができる。この際、予め流量調節用弁３３を操作して水量を調節しておくことにより、使用者はフットスイッチ５をＯＮ，ＯＦＦ操作することのみによって所望の水量の水を使用することができる。
【００３１】
上記のように構成される移動式水洗装置を使用する場合は、まず、水洗装置本体１０の四方に設けられた任意の出入れ用開口部１４からタンク載置部１５に水Ｗを貯留した給水タンク２と空の排水タンク３を載置（セット）する。次に、給水タンク２内に給水ホース３６を挿入して、供給ポンプ４を給水タンク２の底部に設置する。この際、給水ホース３６にルーズに嵌装されているキャップ３８を給水タンク２に設けられた口部２ａに取り付けて給水ホース３６を固定する（図４参照）。また、排水ホース３７を排水タンク３内に挿入する。この場合、排水ホース３７も給水ホース３６と同様に、図示しないキャップを排水タンク３の口部に取り付けて固定する。この給水タンク２及び排水タンク３のタンク載置部１５への載置（セット）は、水洗装置本体１０を使用する場所に移動する前に行ってもよく、移動した後に行ってもよい。なお、給水タンク２と排水タンク３の容量は等しくなっている方がよい。タンク載置部１５に給水タンク２と排水タンク３を載置した後、出入れ用開口部１４に扉体４０を被着して給水タンク２及び排水タンク３を外部から目隠しする。
【００３２】
次に、使用するときは、電源プラグ５３コンセントに差し込み、メインスイッチ５２をＯＮにし、フットスイッチ５を踏んでＯＮにすることにより、供給ポンプ４が駆動されて、給水タンク２内に貯留された水が給水用水栓具２２に供給され、シャワーノズル３０から吐出される。このとき、予め流量調節用弁３３を操作して水量を調節しておけば、使用者は流量調節用弁３３を操作することなく、フットスイッチ５のＯＮ，ＯＦＦ操作のみで給水タンク２内の水Ｗを吐出することができるので、手洗いや食器等を洗うことができる。使用された水はシンク２１の排水口２３から排水ホース３７を介して排水タンク３内に貯留される。このとき、排水中のゴミは排水口２３に取り付けられたゴミ受け２９によって受け止められるので、排水タンク３内に流入することはない。
【００３３】
使用後、給水タンク２及び排水タンク３を入れ替える場合は、外方にスペースがある側の扉体４０を取り外して、出入れ用開口部１４からタンク載置部１５に載置されている空の給水タンク２と水が貯留された排水タンク３を取り出す。そして、新たに水を貯留した給水タンク２と空の排水タンク３をタンク載置部１５に載置（セット）した後、扉体４０を出入れ用開口部１４に被着して、上述と同様の操作によって水洗を行うことができる。
【００３４】
なお、上記実施形態では、給水管３１の吐出部にシャワーノズル３０を設けた場合について説明したが、シャワーノズル３０に変えて通常の吐水口（蛇口）としてもよく、あるいは、シャワーと通常の吐水口（蛇口）とを切換可能にしてもよい。
【００３５】
また、上記実施形態では、水洗装置本体１０を構成する天板１１、側板１２、床板１７、支柱１６及び扉体４０等を木製部材にて形成する場合について説明したが、木製以外の例えばアルミニウム製、プラスチック製の部材を用いて水洗装置本体１０を構成することも可能である。
【００３６】
また、上記実施形態では、電気系統にメインスイッチ５２を設けた場合について説明したが、必ずしもメインスイッチ５２を設けることなくフットスイッチ５のＯＮ，ＯＦＦ操作のみで給水を行うようにしてもよい。
【００３７】
また、上記実施形態では、電源プラグ５３をコンセントに差し込んで給電する場合について説明したが、コンセント以外の電源からも給電可能にする方が好ましい。例えば、図５に二点鎖線で示すように、ＡＣ／ＤＣ変換器５１と並列に自動車のバッテリに接続可能な変電器５６を設けることにより、コンセント以外の電源からも給電することができるので、屋外やコンセントの無い場所での使用が可能となる。
【００３８】
【発明の効果】
以上に説明したように、この発明は上記のように構成されているので、以下のような優れた効果が得られる。
【００３９】
（１）請求項１記載の発明によれば、給水用水栓具によって支障を受けることなく、出入れ用開口部の開口領域を確保することができ、四方に設けられた出入れ用開口部のいずれからでも給水タンク及び排水タンクの出し入れを可能にすることができるので、給水タンク及び排水タンクの出し入れのためのスペースを考慮することなく任意の場所に設置することができると共に、給水タンク及び排水タンクの入れ替えを容易にすることができる。また、シンクと側板との間の空間内に配設される導水管に介設された流量調節用弁を操作した後、スイッチ操作のみで水洗作業を行うことができるので、水洗作業を容易に行うことができる。
【００４０】
（２）請求項２記載の発明によれば、タンク載置部の出入れ用開口部に扉体を着脱可能に被着するので、上記（１）に加えて更にタンク載置部に載置される給水タンク及び排水タンクを外部から目隠しすることができ、給水タンク及び排水タンクの入れ替えの際には、任意の出入れ用開口部に被着された扉体を取り外して給水タンク及び排水タンクの入れ替えを行うことができる。
【００４１】
（３）請求項３記載の発明によれば、給水用水栓具の給水管の吐出口側に逆止弁を介設することにより、スイッチを操作して供給ポンプの駆動を停止したときに、給水用水栓具の給水管中に供給された水の吐出の停止を迅速に行うことができるので、上記（１）、（２）に加えて更に水の使用量を少なくすることができる。したがって、給水タンク内に貯留された限られた量の水を有効に使用することができる。
【００４２】
（４）請求項４記載の発明によれば、タンク載置部に、給水タンク及び排水タンクの水平方向の移動を阻止する起立壁を設けると共に、タンク載置部に防水処理を施すことにより、上記（１）〜（３）に加えて更に洗浄処理装置の走行移動中に給水タンク及び排水タンクが不用意に移動するのを防止することができ、また、給水タンクや排水タンク内の水が外部に飛散あるいは漏れても、防水処理が施されたタンク載置部にて受け止めることができるので、装置外部に水が流出するのを防止することができる。
【図面の簡単な説明】
【図１】この発明の移動式水洗装置の一例を示す全体の斜視図である。
【図２】上記移動式水洗装置の一部を断面で示す分解斜視図（ａ）及び（ａ）のＩ部拡大図（ｂ）である。
【図３】上記移動式水洗装置の一部を断面で示す平面図である。
【図４】上記移動式水洗装置の一部を断面で示す側面図である。
【図５】この発明における配管及び配線状態を示す概略構成図である。
【図６】この発明におけるシンクの取付状態を示す断面図（ａ）及び（ａ）の底面図（ｂ）である。
【図７】この発明におけるタンク載置部を示す斜視図（ａ）及び（ａ）のＩＩ−ＩＩ線に沿う拡大断面図（ｂ）である。
【図８】この発明における扉体の取付状態を示す断面図である。
【符号の説明】
１  キャスタ
２  給水タンク
３  排水タンク
４  供給ポンプ
５  フットスイッチ（スイッチ）
１０  水洗装置本体
１１  天板
１２  側板
１３  水洗設置部
１４  出入れ用開口部
１５  タンク載置部
１８  起立壁
１９  防水シート
２０  水洗部
２１  シンク
２２  給水用水栓具
２８  空間
３０  シャワーノズル（吐出口）
３１  給水管
３２  導水管
３３  流量調節弁
３４  逆止弁
４０  扉体
４２  取付孔金具
４３  フック金具
【図１】
2004229895.tif 000003
【図２】
2004229895.tif 000004
【図３】
2004229895.tif 000005
【図４】
2004229895.tif 000006
【図５】
2004229895.tif 000007
【図６】
2004229895.tif 000008
【図７】
2004229895.tif 000009
【図８】
2004229895.tif 000010